【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】  第１のエネルギーを第２のエネルギーである電気エネルギーに変換することにより発電を行う発電手段と、
前記発電により得られた電気エネルギーを蓄える電源手段と、
前記電源手段から供給される電気エネルギーにより時刻表示を行う時刻表示手段と、
操作者により操作され、第１位置と、第３位置と、前記第１位置と前記第３位置との間にある第２位置へ移動可能な操作子を有する操作手段と、
前記操作子の位置を検出する位置検出手段と、
前記操作子が前記第１位置にある場合には時刻表示状態とし、前記操作子が前記第２位置にある場合には暦修正状態とし、前記操作子が前記第３位置にある場合には時刻修正状態とする状態変更手段と、
前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出手段により検出された場合には、前記時刻表示手段の消費電力を低減させる節電モードへの移行を指示する操作状態であると判別し、検出されなかった場合には、前記節電モードへの移行を指示する操作状態ではないと判別する操作状態判別手段と、
当該携帯用電子機器が非携帯状態にあるか否かを検出する携帯検出手段と、
当該携帯用電子機器が非携帯状態にある時間を計測する計測手段と、
前記操作状態判別手段により操作状態が前記節電モードへの移行を指示する操作状態であると判別された場合、または、前記携帯検出手段により当該携帯用電子機器が非携帯状態にあると検出され、且つ前記計測手段により計測された時間が所定の時間を経過した場合、動作モードを前記節電モードへ移行させる動作モード制御手段と
を備えたことを特徴とする携帯用電子機器。
【請求項２】  請求項１に記載の携帯用電子機器において、前記携帯検出手段は、前記発電手段の発電状態に基づいて当該携帯用電子機器の携帯状態を検出することを特徴とする携帯用電子機器。
【請求項３】  請求項１または請求項２に記載の携帯用電子機器において、
前記第１のエネルギーは光エネルギーあるいは電磁波エネルギーのいずれかであり、
前記動作モード制御手段は、前記携帯検出手段により当該携帯用電子機器が非携帯状態にあると検出され、かつ、前記発電手段の発電状態が前記節電モードに対応する所定の発電状態にある場合に、前記動作モードを前記節電モードに移行させること
を特徴とする携帯用電子機器。
【請求項４】  第１のエネルギーを第２のエネルギーである電気エネルギーに変換することにより発電を行う発電手段と、
前記発電により得られた電気エネルギーを蓄える電源手段と、
前記電源手段から供給される電気エネルギーにより時刻表示を行う時刻表示手段と、
操作者により操作され、第１位置と、第３位置と、前記第１位置と前記第３位置との間にある第２位置へ移動可能な操作子を有する操作手段と、
前記操作子の位置を検出する位置検出手段と、
前記操作子が前記第１位置にある場合には時刻表示状態とし、前記操作子が前記第２位置にある場合には暦修正状態とし、前記操作子が前記第３位置にある場合には時刻修正状態とする状態変更手段と、
前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出手段により検出された場合には、前記時刻表示手段の消費電力を低減させる節電モードへの移行を指示する操作状態であると判別し、検出されなかった場合には、前記節電モードへの移行を指示する操作状態ではないと判別する操作状態判別手段と、
前記発電手段が非発電状態にあるか否かを判別する発電判別手段と、
前記発電手段が非発電状態にある時間を計測する計測手段と、
前記操作状態判別手段により操作状態が前記節電モードへの移行を指示する操作状態であると判別された場合、または、前記発電検出手段により前記発電手段が非発電状態にあると検出され、且つ前記計測手段により計測された時間が所定の時間を経過した場合、動作モードを前記節電モードへ移行させる動作モード制御手段と
を備えたことを特徴とする携帯用電子機器。
【請求項５】  請求項１，２または請求項４のいずれかに記載の携帯用電子機器において、
前記第１のエネルギーは運動エネルギー、圧力エネルギーあるいは熱エネルギーのいずれかであることを特徴とする携帯用電子機器。
【請求項６】  請求項１乃至５のいずれかに記載の携帯用電子機器において、前記操作手段の操作子はリュウズであり、
前記位置検出手段は、前記リュウズの位置を検出すること
を特徴とする携帯用電子機器。
【請求項７】  請求項６に記載の携帯用電子機器において、
前記節電モード中の経過時間をカウントする経過時間カウント手段と、
前記節電モードから通常動作モードへの移行に際し、前記経過時間カウント手段のカウント値に基づいて前記時刻表示手段における表示を前記経過時間に対応する時刻に復帰させる表示時刻復帰手段と、
を備えたことを特徴とする携帯用電子機器。
【請求項８】  操作者により操作され、第１位置と、第３位置と、前記第１位置と前記第３位置との間にある第２位置へ移動可能な操作子と、前記操作子の位置を検出する位置検出ユニットと、前記操作子が前記第１位置にある場合には時刻計時状態とし、前記操作子が前記第２位置にある場合には暦修正状態とし、前記操作子が前記第３位置にある場合には時刻修正状態とする状態変更ユニットと、第１のエネルギーを第２のエネルギーである電気エネルギーに変換する発電ユニットと、前記電気エネルギーを蓄える電源ユニットと、前記電気エネルギーにより時刻表示を行う時刻表示ユニットとを有する携帯用電子機器の制御方法において、
前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出ユニットにより検出された場合には、前記時刻表示ユニットの消費電力を低減させる節電モードへの移行を指示する操作状態であると判別し、検出されなかった場合には、前記節電モードへの移行を指示する操作状態ではないと判別する操作状態判別工程と、
当該携帯用電子機器が所定時間の間、非携帯状態にあるか否かを検出する携帯検出工程と、
前記操作状態判別工程において操作状態が前記節電モードへの移行を指示する操作状態であると判別された場合、または、前記携帯検出工程において、当該携帯用電子機器が所定時間の間、非携帯状態であると検出された場合、動作モードを前記節電モードへ移行させる動作モード制御工程と
を備えたことを特徴とする携帯用電子機器の制御方法。
【請求項９】  請求項８記載の携帯用電子機器の制御方法において、前記携帯検出工程は、前記発電ユニットにおける発電状態に基づいて当該携帯用電子機器が非携帯状態にあるか否かを検出することを特徴とする携帯用電子機器の制御方法。
【請求項１０】  操作者により操作され、第１位置と、第３位置と、前記第１位置と前記第３位置との間にある第２位置へ移動可能な操作子と、前記操作子の位置を検出する位置検出ユニットと、前記操作子が前記第１位置にある場合には時刻計時状態とし、前記操作子が前記第２位置にある場合には暦修正状態とし、前記操作子が前記第３位置にある場合には時刻修正状態とする状態変更ユニットと、第１のエネルギーを第２のエネルギーである電気エネルギーに変換する発電ユニットと、前記電気エネルギーを蓄える電源ユニットと、前記電気エネルギーにより時刻表示を行う時刻表示ユニットとを有する携帯用電子機器の制御方法において、
前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出ユニットにより検出された場合には、前記時刻表示ユニットの消費電力を低減させる節電モードへの移行を指示する操作状態であると判別し、検出されなかった場合には、前記節電モードへの移行を指示する操作状態ではないと判別する操作状態判別工程と、
前記発電ユニットが所定時間の間、非発電状態にあるか否かを判断する発電判断工程と、
前記操作状態判別工程において操作状態が前記節電モードへの移行を指示する操作状態であると判別された場合、または、前記発電検出工程により、前記発電ユニットが所定時間の間、非発電状態であると検出された場合、動作モードを前記節電モードへ移行させる動作モード制御工程と
を備えたことを特徴とする携帯用電子機器の制御方法。
【手続補正２】
【補正対象書類名】明細書
【補正対象項目名】０００６
【補正方法】変更
【補正の内容】
【０００６】
【課題を解決するための手段】
本発明に係る携帯用電子機器は、第１のエネルギーを第２のエネルギーである電気エネルギーに変換することにより発電を行う発電手段と、前記発電により得られた電気エネルギーを蓄える電源手段と、前記電源手段から供給される電気エネルギーにより時刻表示を行う時刻表示手段と、操作者により操作され、第１位置と、第３位置と、前記第１位置と前記第３位置との間にある第２位置へ移動可能な操作子を有する操作手段と、前記操作子の位置を検出する位置検出手段と、前記操作子が前記第１位置にある場合には時刻表示状態とし、前記操作子が前記第２位置にある場合には暦修正状態とし、前記操作子が前記第３位置にある場合には時刻修正状態とする状態変更手段と、前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出手段により検出された場合には、前記時刻表示手段の消費電力を低減させる節電モードへの移行を指示する操作状態であると判別し、検出されなかった場合には、前記節電モードへの移行を指示する操作状態ではないと判別する操作状態判別手段と、当該携帯用電子機器が非携帯状態にあるか否かを検出する携帯検出手段と、当該携帯用電子機器が非携帯状態にある時間を計測する計測手段と、前記操作状態判別手段により操作状態が前記節電モードへの移行を指示する操作状態であると判別された場合、または、前記携帯検出手段により当該携帯用電子機器が非携帯状態にあると検出され、且つ前記計測手段により計測された時間が所定の時間を経過した場合、動作モードを前記節電モードへ移行させる動作モード制御手段とを備えたことを特徴とする。
【手続補正３】
【補正対象書類名】明細書
【補正対象項目名】０００７
【補正方法】変更
【補正の内容】
【０００７】
好ましい態様において、前記携帯検出手段は、前記発電手段の発電状態に基づいて当該携帯用電子機器の携帯状態を検出する。
【手続補正４】
【補正対象書類名】明細書
【補正対象項目名】０００８
【補正方法】変更
【補正の内容】
【０００８】
また、好ましい態様において、前記第１のエネルギーは光エネルギーあるいは電磁波エネルギーのいずれかであり、前記動作モード制御手段は、前記携帯検出手段により当該携帯用電子機器が非携帯状態にあると検出され、かつ、前記発電手段の発電状態が前記節電モードに対応する所定の発電状態にある場合に、前記動作モードを前記節電モードに移行させる。
【手続補正５】
【補正対象書類名】明細書
【補正対象項目名】０００９
【補正方法】変更
【補正の内容】
【０００９】
また、本発明に係る携帯用電子機器は、第１のエネルギーを第２のエネルギーである電気エネルギーに変換することにより発電を行う発電手段と、前記発電により得られた電気エネルギーを蓄える電源手段と、前記電源手段から供給される電気エネルギーにより時刻表示を行う時刻表示手段と、操作者により操作され、第１位置と、第３位置と、前記第１位置と前記第３位置との間にある第２位置へ移動可能な操作子を有する操作手段と、前記操作子の位置を検出する位置検出手段と、前記操作子が前記第１位置にある場合には時刻表示状態とし、前記操作子が前記第２位置にある場合には暦修正状態とし、前記操作子が前記第３位置にある場合には時刻修正状態とする状態変更手段と、前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出手段により検出された場合には、前記時刻表示手段の消費電力を低減させる節電モードへの移行を指示する操作状態であると判別し、検出されなかった場合には、前記節電モードへの移行を指示する操作状態ではないと判別する操作状態判別手段と、前記発電手段が非発電状態にあるか否かを判別する発電判別手段と、前記発電手段が非発電状態にある時間を計測する計測手段と、前記操作状態判別手段により操作状態が前記節電モードへの移行を指示する操作状態であると判別された場合、または、前記発電検出手段により前記発電手段が非発電状態にあると検出され、且つ前記計測手段により計測された時間が所定の時間を経過した場合、動作モードを前記節電モードへ移行させる動作モード制御手段とを備えたことを特徴とする。
【手続補正６】
【補正対象書類名】明細書
【補正対象項目名】００１０
【補正方法】変更
【補正の内容】
【００１０】
好ましい態様において、前記第１のエネルギーは運動エネルギー、圧力エネルギーあるいは熱エネルギーのいずれかである。
【手続補正７】
【補正対象書類名】明細書
【補正対象項目名】００１１
【補正方法】変更
【補正の内容】
【００１１】
また、好ましい態様において、前記操作手段の操作子はリュウズであり、前記位置検出手段は、前記リュウズの位置を検出する。
【手続補正８】
【補正対象書類名】明細書
【補正対象項目名】００１２
【補正方法】変更
【補正の内容】
【００１２】
また、好ましい態様において、前記節電モード中の経過時間をカウントする経過時間カウント手段と、前記節電モードから通常動作モードへの移行に際し、前記経過時間カウント手段のカウント値に基づいて前記時刻表示手段における表示を前記経過時間に対応する時刻に復帰させる表示時刻復帰手段と、を備える。
【手続補正９】
【補正対象書類名】明細書
【補正対象項目名】００１３
【補正方法】変更
【補正の内容】
【００１３】
また、本発明に係る携帯用電子機器の制御方法は、操作者により操作され、第１位置と、第３位置と、前記第１位置と前記第３位置との間にある第２位置へ移動可能な操作子と、前記操作子の位置を検出する位置検出ユニットと、前記操作子が前記第１位置にある場合には時刻計時状態とし、前記操作子が前記第２位置にある場合には暦修正状態とし、前記操作子が前記第３位置にある場合には時刻修正状態とする状態変更ユニットと、第１のエネルギーを第２のエネルギーである電気エネルギーに変換する発電ユニットと、前記電気エネルギーを蓄える電源ユニットと、前記電気エネルギーにより時刻表示を行う時刻表示ユニットとを有する携帯用電子機器の制御方法において、前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出ユニットにより検出された場合には、前記時刻表示ユニットの消費電力を低減させる節電モードへの移行を指示する操作状態であると判別し、検出されなかった場合には、前記節電モードへの移行を指示する操作状態ではないと判別する操作状態判別工程と、当該携帯用電子機器が所定時間の間、非携帯状態にあるか否かを検出する携帯検出工程と、前記操作状態判別工程において操作状態が前記節電モードへの移行を指示する操作状態であると判別された場合、または、前記携帯検出工程において、当該携帯用電子機器が所定時間の間、非携帯状態であると検出された場合、動作モードを前記節電モードへ移行させる動作モード制御工程とを備えたことを特徴とする。
【手続補正１０】
【補正対象書類名】明細書
【補正対象項目名】００１４
【補正方法】変更
【補正の内容】
【００１４】
好ましい態様において、前記携帯検出工程は、前記発電ユニットにおける発電状態に基づいて当該携帯用電子機器が非携帯状態にあるか否かを検出する。
【手続補正１１】
【補正対象書類名】明細書
【補正対象項目名】００１５
【補正方法】変更
【補正の内容】
【００１５】
また、本発明に係る携帯用電子機器の制御方法は、操作者により操作され、第１位置と、第３位置と、前記第１位置と前記第３位置との間にある第２位置へ移動可能な操作子と、前記操作子の位置を検出する位置検出ユニットと、前記操作子が前記第１位置にある場合には時刻計時状態とし、前記操作子が前記第２位置にある場合には暦修正状態とし、前記操作子が前記第３位置にある場合には時刻修正状態とする状態変更ユニットと、第１のエネルギーを第２のエネルギーである電気エネルギーに変換する発電ユニットと、前記電気エネルギーを蓄える電源ユニットと、前記電気エネルギーにより時刻表示を行う時刻表示ユニットとを有する携帯用電子機器の制御方法において、前記操作子の移動に際し、前記操作子が前記第１位置から前記第２位置に移動し、さらに前記第３位置に移動することなく予め定めた所定時間内に前記第２位置から前記第１位置に移動したことが、前記操作子が前記第２位置から前記第１位置に移動した時に前記位置検出ユニットにより検出された場合には、前記時刻表示ユニットの消費電力を低減させる節電モードへの移行を指示する操作状態であると判別し、検出されなかった場合には、前記節電モードへの移行を指示する操作状態ではないと判別する操作状態判別工程と、前記発電ユニットが所定時間の間、非発電状態にあるか否かを判断する発電判断工程と、前記操作状態判別工程において操作状態が前記節電モードへの移行を指示する操作状態であると判別された場合、または、前記発電検出工程により、前記発電ユニットが所定時間の間、非発電状態であると検出された場合、動作モードを前記節電モードへ移行させる動作モード制御工程とを備えたことを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００４４
【補正方法】変更
【補正の内容】
【００４４】
ゲート９８２には、パルス合成回路２２から供給される基準信号と検出信号Ｖｏｕｔが供給されている。したがって、カウンタ９８３は検出信号Ｖｏｕｔがハイレベルの期間、基準信号をカウントする。このカウント値はデジタルコンパレータ９８４の一方の入力に供給される。また、デジタルコンパレータ９８４の他方の入力には、設定時間に対応する設定時間値Ｔｏが供給されるようになっている。ここで、現在のモードが表示モードである場合にはスイッチＳＷ２を介して設定時間値Ｔａが供給され、現在のモードが節電モードである場合にはスイッチＳＷ２を介して設定時間値Ｔｂが供給されるようになっている。なお、スイッチＳＷ２は、設定値切換部９５によって制御される。デジタルコンパレータ９８４は、検出信号Ｖｏｕｔの立ち下がりエッジに同期して、その比較結果を発電継続時間検出信号Ｓｔとして出力する。発電継続時間検出信号Ｓｔは、設定時間を越えた場合に“Ｈ”レベルとなり、一方、設定時間を下回った場合に“Ｌ”レベルとなる。
【手続補正２４】
【補正対象書類名】明細書
【補正対象項目名】００５５
【補正方法】変更
【補正の内容】
【００５５】
一方、暦修正状態（１段引き位置）に巻真８１が位置決めされた場合には、おしどり８２によって規正レバー９１が移動させられ、これにより規正レバー９１が図示せぬ四番車を停止させるとともに、電子回路部をリセットするようになっている。また、巻真８１には、第１カレンダー修正車９２が巻真８１に対して回転自在に取り付けられている。巻真８１が暦修正状態に位置決めされた場合には、かんぬき８３によってつづみ車８４が上方に移動させられ、第１カレンダー修正車９２と噛み合うようになっている。これにより、巻真８１の回転に伴って第１カレンダー修正車９２が回転させられ、第１カレンダー修正車９２に常時係合された図示せぬ第２カレンダー修正車、およびこれに係合されたカレンダー修正車が回転させられる。このカレンダー修正車に常時係合された日車が回転させられることにより、暦修正が行われる。